(57)【要約】【課題】携帯機器等を簡易に充電できると共に、机上乃至はオフィス内の美観の向上にも資するＵＳＢポートを備えた電源供給装置を提供すること。【解決手段】少なくとも、外部負荷用電源プラグの挿入口及びＵＳＢポートを有するハウジングと、該挿入口に挿入された電源プラグ及び該ＵＳＢポートに挿入されたＵＳＢ接続端子を受ける接触子を備えた配電基板と、該配電基板に連結されたケーブルの先端部に配設された電源プラグからなり、前記ＵＳＢポートはＵＳＢ接続端子を介して接続された電気電子機器に対する充電、又は電源供給用に設けたこと。【選択図】図７
0003129288.tif 000002
【実用新案登録請求の範囲】
【請求項１】
少なくとも、外部負荷用電源プラグの挿入口及びＵＳＢポートを有するハウジングと、
該挿入口に挿入された電源プラグ及び該ＵＳＢポートに挿入されたＵＳＢ接続端子を受ける接触子を備えた配電基板と、
該配電基板に連結されたケーブルの先端部に配設された電源プラグからなり、
前記ＵＳＢポートはＵＳＢ接続端子を介して接続された電気電子機器に対する充電、又は電源供給用に設けたことを特徴とするＵＳＢポートを備えた電源供給装置。
【請求項２】
ハウジングにはＬＡＮ（ローカルエリアネットワーク）ケーブル接続端子挿入口を配設した請求項１のＵＳＢポートを備えた電源供給装置。
【請求項３】
ハウジングを柱形状に形成し、該柱の上底部及び／又は下底部乃至は側面部に前記商用電源プラグ及び／又は前記ＵＳＢポートを配設した請求項１又は２のＵＳＢポートを備えた電源供給装置。
【請求項４】
机の天板等に固定するための挟持溝を前記ハウジングに配設した請求項１〜３のいずれかのＵＳＢポートを備えた電源供給装置。
【請求項５】
ハウジングは熱可塑性エラストマ素材により形成し、電源プラグ用ケーブルは熱可塑性エラストマ素材によって被膜した請求項１〜４のいずれかのＵＳＢポートを備えた電源供給装置。
【考案の詳細な説明】
【技術分野】
【０００１】
本考案は、電気電子機器に電源を供給するＵＳＢポートを備えた電源供給装置に関する。
【背景技術】
【０００２】
パーソナルコンピュータ（以下、単にＰＣともいう）とその周辺機器を結ぶ各種のケーブルは、机上乃至はオフィスを錯綜して美観を害し、そして邪魔である。ＰＣ周辺の電気電子機器接続用に利用されるケーブルとしては、代表的なものに、いわゆるＵＳＢ（ユニバーサルシリアルバス）、ＦＷ（ファイヤワイヤ）、ＳＣＳＩ（スカジー）などが挙げられるが、中でもＵＳＢケーブルは現在その主流となりつつあり、電子データの授受の際に用いられるのみならず、携帯電話やＰＤＡ等の携帯機器充電用としても利用でき、高い汎用性を得るに至っている。
【０００３】
然し乍ら、ＵＳＢ接続端子を接続するためのＵＳＢポートは、一般的に外部入出力端子としてＰＣの背面等に備えられているのが通常であり、かかるＵＳＢポートを稼動させて上記携帯機器等を充電するためにわざわざＰＣを起動してなすのは手段として迂遠である。
【考案の開示】
【考案が解決しようとする課題】
【０００４】
本考案は上記のような事情に鑑み、携帯機器等を直接簡易に充電できると共に、机上乃至はオフィス内の美観の向上にも資するＵＳＢポートを備えた電源供給装置を提供することを課題とする。
【課題を解決するための手段】
【０００５】
上記課題を解決することを目的としてなされた本考案電源用ＵＳＢポートを備えた電源供給装置の構成は、少なくとも、外部負荷用電源プラグの挿入口及びＵＳＢポートを有するハウジングと、該挿入口に挿入された電源プラグ及び該ＵＳＢポートに挿入されたＵＳＢ接続端子を受ける接触子を備えた配電基板と、該配電基板に連結されたケーブルの先端部に配設された電源プラグからなり、前記ＵＳＢポートはＵＳＢ接続端子を介して接続された電気電子機器に対する充電、又は電源供給用に設けたことを特徴とするものである。
【０００６】
また、本考案のハウジングには、ＬＡＮケーブル接続端子用の挿入口を配設した構成としてもよく、さらに、このハウジングを柱形状に形成して、該柱の上底面部及び／又は下底面部乃至は側面部に前記商用電源プラグ及び／又は前記ＵＳＢポートを配設してもよい。或いは、机の天板等に固定するための挟持溝を前記ハウジングに配設することも可能である。
【０００７】
さらに、本考案の電源供給装置は、ハウジングを熱可塑性エラストマ素材により形成し、電源プラグ用ケーブルを同じ熱可塑性エラストマ素材により被膜して、全体としての美観を統合することができる。
【考案の効果】
【０００８】
本考案は、外部負荷用電源プラグ挿入口を有する電源供給装置に、充電用乃至は電源供給用のＵＳＢポートを設けたことにより、携帯機器等を充電するに際してわざわざＰＣを起動しなければならないとの手間と時間とを省くことができる。また、本考案の電源供給装置は、そのハウジングを柱形状とすることによって、従来の電源供給装置には見られなかった新たな美観を生ずることができる。さらに、ハウジングに挟持溝を設けたことによって、机の天板やＯＡ機器の脚部等を挟持して、電源プラグ類を作業スペースの脇に収めて机上を広く確保でき、かつ、それらのケーブルが錯綜して邪魔となるのを軽減できる。しかも、ハウジングや電源ケーブル用被膜を一定の熱可塑性エラストマ素材で統一すれば、デザイン的にも統合されたオブジェのような雰囲気を創出することができる。
【考案を実施するための最良の形態】
【０００９】
次に、本考案の実施の形態例について、図に拠り説明する。図１は本考案に係る電源供給装置の一例を示した上端面図、図２はＬＡＮケーブル接続端子用の挿入口を配設した本考案電源供給装置を例示した上端面図、図３はハウジングを柱形状に形成した本考案電源供給装置とこれに筒状部材を装着した一例を示した分解斜視図、図４はハウジングに挟持溝を配設した本考案の電源供給装置を例示した上端面図、図５は図４の側端面図、図６は図４の後端面図、図７はハウジングに挟持溝を配設した本考案の電源供給装置を例示した分解斜視図、図８はハウジングに挟持溝を配設した本考案の電源供給装置の保持態様を例示した前端面図である。
【００１０】
図１において、１は本考案に係るＵＳＢポートを備えた電源供給装置であって、外部負荷用電源プラグ挿入口３及びＵＳＢポート４を具備したハウジング２と、このハウジング２の後端面の一部から延設された電源プラグ用ケーブル５と、該ケーブル５の先端部に備えられた電源プラグ６とからなっている。本実施例のハウジング２には、図示しない外部負荷用電源プラグ及びＵＳＢ接続端子Ｊを受ける接触子と変圧器とを具備した配電基板Ｂが内設され、この変圧器によってＵＳＢポート４へ接続された携帯機器等には約５ボルト程の電圧が印加されるようになっている。なお、変圧器の存否や変電圧の設定値は任意である。現在汎用されている携帯機器は約５ボルトの電圧下で充電されるものが多いため、ＵＳＢポート４へＵＳＢ接続端子Ｊを介して携帯機器を接続することで、わざわざＰＣを起動させることなく直接簡易に電力を得て充電することができるものとなる。なお、図１において紙面垂直上方を上方、紙面垂直下方を下方、左方を前方、右方を後方として記述している。
【００１１】
また、本考案の電源供給装置１の他の実施例においては、図２に示すように、ハウジング２の上面部にＬＡＮケーブル接続端子用の挿入口７を設けて構成している。これにより、ＬＡＮケーブル７１及びＬＡＮケーブル接続端子７２を通して挿入口７から他のＬＡＮケーブル接続端子へとデータの送受信を行うことができ、通信用のＬＡＮケーブル７１を前記電源プラグ用ケーブル５と並走させ、或いは、適宜被膜部材によって一体的に被膜すればケーブル類をさらに効果的に整理できる。
【００１２】
図３に示すように、ハウジング２を円柱形に形成してこの上底面部に外部負荷用電源プラグ挿入口３及びＵＳＢポート４を配設し、ハウジング２と上面視における外寸を略同一とする円筒状部材Ｔを該ハウジング２に装着することによって形成されるスペースへ、外観の不揃いな各種電源プラグやＵＳＢ接続端子Ｊのソケット部、或いは、長さの余ったケーブル類等を納めて美観を維持することも可能である。外部負荷用電源プラグ挿入口３及びＵＳＢポート４は、ハウジング２の外周側面に設けてもよく、かかる構成によって本考案は電源供給装置としても新たな美観を発揮することができる。
【００１３】
さらに本考案は、図４〜図８に示すように、ハウジング２に机の天板ＤやＯＡ機器の脚部等を挟持可能な挟持溝Ｐを形成することで、机上等の作業スペースをＰＣ周辺機器等のケーブル類によって害されることなく広く有効に確保することができる。
【００１４】
本実施例において、ハウジング２は、図７に示すように、蓋体２１と框体２２とによって構成され、その内部には配電基板Ｂを具備している。蓋体２１と框体２２とは、嵌合口２１Ｃ、２２Ｃを挿通する嵌合部材Ｃと、嵌合口２１５、２２５を挿通する電源プラグ用ケーブル５のアタッチメント５５に形成した嵌合部５６とによって嵌合固定される。
【００１５】
框体２２には机の天板Ｄを挟持できる程度の挟持溝Ｐを形成し、弾性的に、或いは、適宜変更可能な挟持幅となすための機構によって、本考案電源装置１は天板Ｄを挟持しうるものとなっている。
【００１６】
本考案に係るハウジング２、蓋体２１、框体２２を同様の熱可塑性エラストマ素材で形成し、また、電源プラグ用ケーブル５の被膜材についても熱可塑性エラストマによって形成すれば、ＵＳＢポートを備えた電源供給装置１はデザイン的に統合され、机上等においてまるでオブジェのような雰囲気を創出する。また、本考案電源供給装置１に挿入して使用する電源プラグやＵＳＢケーブルの被膜材についても、同一素材で統一すればさらにオフィス等における美観の向上に資することは言うまでもない。
【産業上の利用可能性】
【００１７】
本考案は以上の通りであって、外部負荷用電源プラグ挿入口を有する電源供給装置に、充電用乃至は電源供給用のＵＳＢポートを設けたことにより、携帯機器等を充電するに際してわざわざＰＣを起動しなければならないとの手間と時間を省き、また、本考案の電源供給装置は、そのハウジングを柱形状とすることによって、従来の電源供給装置には見られなかった新たな美観を生ずることができ、さらに、ハウジングに挟持溝を設けたことによって、机の天板やＯＡ機器の脚部等を挟持して、電源プラグ類を作業スペースの脇に収めて机上を広く確保して、かつ、電源ケーブルが錯綜して邪魔となるのを軽減し、しかも、ハウジングや電源ケーブル用被膜を同様の熱可塑性エラストマ素材で統一すれば、デザイン的にも統合されたオブジェのような雰囲気を創出することができるという効果を有するから、ＵＳＢポートを備えた電源供給装置に適用してきわめて有用である。
【図面の簡単な説明】
【００１８】
【図１】本考案に係る電源供給装置の一例を示した上端面図
【図２】ＬＡＮケーブル接続端子用の挿入口を配設した本考案電源供給装置を例示した上端面図
【図３】ハウジングを柱形状に形成した本考案電源供給装置とこれに筒状部材を装着した一例を示した分解斜視図
【図４】ハウジングに挟持溝を配設した本考案の電源供給装置を例示した上端面図
【図５】ハウジングに挟持溝を配設した本考案の電源供給装置を例示した側端面図
【図６】ハウジングに挟持溝を配設した本考案の電源供給装置を例示した後端面図
【図７】ハウジングに挟持溝を配設した本考案の電源供給装置を例示した分解斜視図
【図８】ハウジングに挟持溝を配設した本考案の電源供給装置の保持態様を例示した前端面図
【符号の説明】
【００１９】
１        ＵＳＢポートを備えた電源供給装置
２        ハウジング
２１      蓋体
２２      框体
２１Ｃ，２２Ｃ  嵌合口
２１５，２２５  嵌合口
３        外部負荷用電源プラグ挿入口
４        ＵＳＢポート
５        電源プラグ用ケーブル
５５      アタッチメント
５６      嵌合部
６        電源プラグ
７        ＬＡＮケーブル接続端子挿入口
７１      ＬＡＮケーブル
７２      ＬＡＮケーブル接続端子
Ｔ        筒状部材
Ｊ        ＵＳＢ接続端子
Ｐ        挟持溝
Ｃ        嵌合部材
Ｂ        配電基板
Ｄ        天板
【図１】
0003129288.tif 000003
【図２】
0003129288.tif 000004
【図３】
0003129288.tif 000005
【図４】
0003129288.tif 000006
【図５】
0003129288.tif 000007
【図６】
0003129288.tif 000008
【図７】
0003129288.tif 000009
【図８】
0003129288.tif 000010